(57)【要約】【課題】本発明は、自動販売機における２エバ運転から１エバ運転に切り替えた後のＣＯＰが悪化する１エバ運転の時間を短縮して圧縮機の消費電力の低減を図る、または、ヒータ運転から１ヒータ運転に切り替えた後の１ヒータ運転の時間を短縮してヒータの消費電力の低減を図る。【解決手段】貯蔵室１３ａ、１３ｂを仕切る仕切壁１８ａｂを撤去して、冷却され難い貯蔵室１３ｂに向けて該貯蔵室に隣接する先行して冷却される貯蔵室１３ａの室内空気を流入自在にする。さらに、仕切壁２８に通気窓２９を設ける。あるいは、仕切壁５８に前後方向に伸縮自在な伸縮部５９を設け、伸縮部５９が短縮された状態で内扉１２に当接して配置し、仕切壁５８の後端部に沿って室内空気が流通自在な隙間５１を形成する。【選択図】        図１
2005078199.tif 000002
【特許請求の範囲】
【請求項１】
仕切り材によって互いに隔離された複数の貯蔵室と、
各貯蔵室に設置され商品を収納して順次下方に移送する商品収納装置と、
該商品収納装置に収納された商品を冷却する冷却ユニットと、
冷却された商品を商品搬送口に搬送する商品搬送装置とを有し、
前記複数の貯蔵室の内所定の貯蔵室とそれに隣接する貯蔵室との間の前記仕切り材の少なくとも一部を開放自在に構成したことを特徴とする自動販売機。
【請求項２】
仕切り材によって互いに隔離された複数の貯蔵室と、
該貯蔵室のうちの第一の貯蔵室に設置された第一の蒸発器と、
該第一の蒸発器に直列接合された第一の電磁弁および第一のキャピラリチューブと、
前記第一の貯蔵室に隣接する第二の貯蔵室に設置された第二の蒸発器と、
該第二の蒸発器に直列接合された第二の電磁弁および第二のキャピラリチューブと、
冷媒を圧縮する圧縮器と、
該圧縮器に直列接続された凝縮器と、
該凝縮器を出た冷媒を前記第一の蒸発器および第二の蒸発器に向けて分岐し、且つ前記第一の蒸発器および第二の蒸発器を出た冷媒を統合して前記圧縮器に戻す冷媒配管と、
前記第一の貯蔵室および第二の貯蔵室の室温が何れも所定の上限温度以上になるとき、前記第一の電磁弁および第二の電磁弁の開放と前記圧縮器の運転開始を同期し、前記第一の貯蔵室の室温が所定の下限温度以下であって第二の貯蔵室の室温が所定の下限温度以上であるとき、前記第一の電磁弁のみを閉鎖して第二の電磁弁の開放と前記圧縮器の運転を継続し、さらに、第二の貯蔵室の室温が所定の下限温度以下になるとき、前記第二の電磁弁も閉鎖して、前記圧縮器の運転を停止する制御手段とを有し、
少なくとも前記第一の貯蔵室の室温が所定の下限温度以下であって第二の貯蔵室の室温が所定の下限温度以上であるとき、前記第一の貯蔵室の室内空気が第二の貯蔵室に流入自在であることを特徴とする請求項１記載の自動販売機。
【請求項３】
前記第二の貯蔵室に隣接する第三の貯蔵室に加熱器が設置されていることを特徴とする請求項２記載の自動販売機。
【請求項４】
前記第一の貯蔵室と第二の貯蔵室との間に配置された仕切り材が撤去自在であることを特徴とする請求項２または３記載の自動販売機。
【請求項５】
前記第一の貯蔵室と第二の貯蔵室との間に配置された仕切り材に、室内空気が流通自在な開口部が設けられていることを特徴とする請求項２または３記載の自動販売機。
【請求項６】
前記開口部に該開口部を開閉自在な扉が設置されていることを特徴とする請求項５記載の自動販売機。
【請求項７】
前記扉が回転式であって、該扉と前記仕切り材との隙間を封止する封止手段が設置されていることを特徴とする請求項６記載の自動販売機。
【請求項８】
前記扉に扉駆動手段が設置され、少なくとも前記第一の貯蔵室の室温が所定の下限温度以下であって第二の貯蔵室の室温が所定の下限温度以上であるとき、前記制御手段の指令によって前記開口部が開放されることを特徴とする請求項６または７記載の自動販売機。
【請求項９】
前記第一の貯蔵室と第二の貯蔵室との間に配置された仕切り材が、前後方向に伸縮自在な伸縮部を有し、該伸縮部が短縮された状態で配置された際、該仕切り材の前端部または後端部に沿って室内空気が流通自在になり、該伸縮部が伸張された状態で配置された際、該仕切り材が前記第一の貯蔵室と第二の貯蔵室との間における室内空気の流通を遮断することを特徴とする請求項２または３記載の自動販売機。
【発明の詳細な説明】
【技術分野】
【０００１】
この発明は、缶ビン飲料などの自動販売機、特に、消費電力の低減を図かった自動販売機に関する。
【背景技術】
【０００２】
図１１および図１２は、それぞれ従来の自動販売機の構成を示す正面視の断面図および側面視の断面図である。
図１１および図１２において、自動販売機９０は１面（前面）を開閉自在な内扉１２によって、また残りの面を断熱壁１１によって包囲された貯蔵室１３を有し、貯蔵室１３が仕切壁１８によって３つの貯蔵室に分けられたものである。すなわち、仕切壁１８ａｂによって貯蔵室１３ａと貯蔵室１３ｂとに区切られ、仕切壁１８ｂｃによって貯蔵室１３ｂと貯蔵室１３ｃとに区切られている。
【０００３】
以下の説明において、各部位を示す番号の内アルファベットａまたはｂはそれぞれ貯蔵室ａまたは貯蔵室ｂに配置されたものであること、アルファベットａｂは貯蔵室ａと貯蔵室ｂとの間に配置されたものであること、アルファベットｂｃは貯蔵室ｂと貯蔵室ｃとの間に配置されたものであること、および部位を示す番号にアルファベットが付記されていないものは、配置位置にかかわらず同じものであることを示す。
【０００４】
貯蔵室１３には、それぞれ、商品を収納して順次下方に移送する商品収納装置１４と、商品収納装置１４から落下した商品を商品搬送口（内扉１２を貫通する開口部として設けられている）に向けて搬送する商品搬送装置１６（以下、シュータと称す）と、シュータ１６の下方に配置された蒸発器５およびヒータ８およびファン９と、商品収納装置１４の内部を経由して蒸発器５に向けて貯蔵室１３内の空気を循環するための吸気ダクト１５とが設置されている。
【０００５】
すなわち、たとえば貯蔵室１３ａにおいて蒸発器５ａを作動した場合には、蒸発器５ａにおいて冷却された空気はファン９ａによって送られ、シュータ１６ａに設けられた通気用孔や通気用隙間（図示しない）から上方に吹き出し、商品収納装置１４ａに収容された商品に衝突してこれを冷却し、その後、吸気ダクト１５ａの吸気口（図示しない）から吸気ダクト１５ａに吸引され、吸気ダクト１５ａの排気口（図示しない）から蒸発器５ａに吸い込まれる。かかる風の流れ１７を矢印にて模式的に表示する。
【０００６】
一方、たとえば貯蔵室１３ｃにおいてヒータ８ｃを作動した場合には、ヒータ８ｃにおいて加熱された空気はファン９ｃによって送られ、シュータ１６ｃに設けられて通気用孔や通気用隙間（図示しない）から上方に吹き出し、商品収納装置１４ｃに収容された商品に衝突してこれを加熱し、その後、吸気ダクト１５ｃの吸気口（図示しない）から吸気ダクト１５ｃに吸引され、吸気ダクト１５ｃの排気口（図示しない）からヒータ８ｃに吸い込まれる。
【０００７】
図１３は、従来の自動販売機における冷却ユニットの構成を示す構成図である。図１３において、冷却ユニット８０は、貯蔵室１３ａ、１３ｂ、１３ｃの外部に配置されたアキュムレータ６と圧縮器１と凝縮器２とが冷媒配管７によって直列接合されている。そして、冷媒配管７は、凝縮器２の下流で冷媒配管７ａ、７ｂ、７ｃに分岐して、それぞれ貯蔵室１３ａ、１３ｂ、１３ｃ（蒸発器５ａ、５ｂ、５ｃに同じ）に導かれ、さらに、貯蔵室１３ａ、１３ｂ、１３ｃを出た後はアキュムレータ６の上流で再度冷媒配管７に統合されている。なお、図１１および図１２と同じ部分にはこれと同じ符号を付す。
【０００８】
図１３に基づいて冷却ユニット８０の動作を説明する。圧縮器１から送り出された冷媒は、冷媒配管７内を流れ、凝縮器２で放熱されて凝縮する。その後、分岐した冷媒配管７ａ、７ｂ、７ｃにそれぞれ設置された電磁弁３ａ、３ｂ、３ｃの開閉によって所定の貯蔵室１３ａ、１３ｂ、１３ｃに分配される。
そして、冷媒を分配するための電磁弁３ａ、３ｂ、３ｃと冷媒を膨張させるためのキャピラリチューブ４ａ、４ｂ、４ｃと各貯蔵室内空気を冷却するための蒸発器５ａ、５ｂ、５ｃとが、それぞれ冷媒配管７ａ、７ｂ、７ｃによって直列接合されている。
さらに、蒸発器５ａ、５ｂ、５ｃにおいて吸熱（熱交換）した冷媒は、冷媒配管７に統合され、気液分離のためのアキュムレータ６を通って圧縮器１に戻っている。
【０００９】
このような構成の冷却ユニット８０を有する自動販売機９０は、貯蔵室１３ａ、１３ｂ、１３ｃが商品の種類や季節等に応じて冷却室または加熱室として適宜切り換えて使用されている。たとえば、全室を冷却する場合（以下、ＣＣＣ運転モードと称す）、貯蔵室１３ａおよび貯蔵室１３ｂを冷却して貯蔵室１３ｃを加熱する場合（以下、ＣＣＨ運転モードと称す）、貯蔵室１３ａを冷却して貯蔵室１３ｂおよび加熱室１３ｃを加熱する場合（以下、ＣＨＨ運転モードと称す）、さらに、全室を加熱する場合（以下、ＨＨＨ運転モードと称す）がある。
【００１０】
そして、前記各運転モードに応じて各貯蔵室の温度が適宜制御されている。たとえば、ＣＣＨ運転モードの場合、加熱される貯蔵室１３ｃに隣接する貯蔵室１３ｂは貯蔵室１３ｃからの入熱によって、貯蔵室１３ａよりも冷え難いため、以下の運転方式が開示されている。すなわち、
【００１１】
（イ）貯蔵室１３ａおよび貯蔵室１３ｂ内の空気温度が何れも所定の上限温度ＴＵ以上になると、電磁弁３ａおよび電磁弁３ｂを共に開く（ｏｎする）。これにより、冷媒が蒸発器５ａと蒸発器５ｂとに流れ、貯蔵室１３ａと貯蔵室１３ｂとをそれぞれ冷却する（以下、２エバ運転と称す）。
（ロ）貯蔵室１３ｂに先行して貯蔵室１３ａが所定の下限温度ＴＬに到達すると、電磁弁３ａのみを閉じて（ｏｆｆし）冷却を停止し、一方、貯蔵室１３ｂは継続して冷却動作を行う（以下、１エバ運転と称す）。
（ハ）そして、貯蔵室１３ｂが所定の下限温度ＴＬに到達すると、圧縮器１を停止（ｏｆｆ）して、電磁弁３ｂを閉じる（ｏｆｆする、以下、エバ停止と称す）。
【００１２】
（二）その後、貯蔵室１３ａおよび貯蔵室１３ｂ内の空気温度は何れも上昇して前記（イ）に戻る。
よって、省エネルギーが図られるとともに、各貯蔵室の平均室温のバラツキ、ひいては平均商品温度のバラツキが抑えられる（例えば、特許文献１参照）。
【特許文献１】特開平０５−３２５００５号公報（第３−４頁、図１）
【００１３】
また、たとえば、ＣＣＣ運転モードの場合、自動販売機の両端の貯蔵室１３ａおよび貯蔵室１３ｃの方が中央の貯蔵室１３ｂよりも冷え難いため、前記（イ）〜（ニ）において、所定の読み替えをする。すなわち、２エバ運転において、全ての貯蔵室１３ａ、１３ｂ、１３ｃを冷却し、次に、１エバ運転において、冷え難い貯蔵室１３ａおよび貯蔵室１３ｃについて冷却を継続する。
【００１４】
一方、たとえば、ＣＨＨ運転モードの場合、冷却される貯蔵室１３ａに隣接する貯蔵室１３ｂは貯蔵室１３ａからの冷熱によって、貯蔵室１３ｃよりも加熱され難いため、前記ＣＣＨ運転モードに準じて以下の運転方式が開示されている。すなわち、
【００１５】
（あ）貯蔵室１３ｂおよび貯蔵室１３ｃ内の空気温度が何れも所定の下限温度ＴＧ以下になると、ヒータ８ｂおよびヒータ８ｃに通電する。これにより、貯蔵室１３ｂおよび貯蔵室１３ｃをそれぞれ加熱する（以下、２ヒータ運転と称す）。
（い）貯蔵室１３ｂに先行して貯蔵室１３ｃが所定の上限温度ＴＨに到達すると、ヒータ８ｃのみを停電して加熱を停止し、一方、貯蔵室１３ｂは継続して加熱を行う（以下、１ヒータ運転と称す）。
（う）そして、貯蔵室１３ｂが所定の上限温度ＴＨに到達すると、ヒータ８ｂを停電する（以下、ヒータ停止と称す）。
【００１６】
（え）その後、貯蔵室１３ｂおよび貯蔵室１３ｃ内の空気温度は何れも下降して前記（あ）に戻る。
【００１７】
また、たとえば、ＨＨＨ運転モードの場合、自動販売機の両端の貯蔵室１３ａおよび貯蔵室１３ｃの方が中央の貯蔵室１３ｂよりも加熱され難いため、前記（あ）〜（え）において、所定の読み替えをする。すなわち、２ヒータ運転において、全ての貯蔵室１３ａ、１３ｂ、１３ｃを加熱し、１ヒータ運転において、加熱され難い貯蔵室１３ａおよび貯蔵室１３ｃについて加熱を継続する。
【発明の開示】
【発明が解決しようとする課題】
【００１８】
図１４は、ＣＣＨ運転モードの前記運転方式における各貯蔵室の空気温度の推移および各蒸発器の入口における冷媒温度の推移を説明する説明図である。
上記（イ）から（ロ）に至る間（以下、２エバ運転時間と称す）にＭａ分の時間を要し、貯蔵室１３ａの空気温度は上限温度ＴＵ超えの温度から下限温度ＴＬに下降し、蒸発器５ａの入口における冷媒温度（以下、蒸発器入口温度Ｔａと称す）は温度Ｔ１から温度Ｔ２に下降している。一方、貯蔵室１３ｂの空気温度は中間温度ＴＷ（下限温度ＴＬよりも高い温度）に冷却され、蒸発器５ｂの入口における冷媒温度（以下、蒸発器入口温度Ｔｂと称す）は温度Ｔ１から温度Ｔ２にまで下降している。
【００１９】
また、上記（ロ）から（ハ）に至る間（以下、１エバ運転時間と称す）にＭｂ分の時間を要し、冷却が停止している貯蔵室１３ａでは室内空気の上昇が始まり、蒸発器入口温度Ｔａが温度Ｔ２から温度Ｔ１に向かって上昇している。一方、冷却が継続している貯蔵室１３ｂでは室内温度が下限温度ＴＬにまで下降し、蒸発器入口温度Ｔｂも温度Ｔ２からさらに下降して温度Ｔ３に達している。
すなわち、２エバ運転から１エバ運転に移行することで、貯蔵室１３ｂのキャピラリチューブ４ｂに流れ込む冷媒の量は増し、その抵抗増による膨張の促進によってキャピラリチューブ４ｂの出口における冷媒の温度（蒸発器入口温度Ｔｂに同じ）が下降している。
【００２０】
さらに、上記（ハ）から再度（イ）に至る間（以下、エバ停止時間と称す）に、貯蔵室１３ａの室内温度は上限温度ＴＵよりも高い温度に上昇し、蒸発温度Ｔａも温度Ｔ１よりも高い温度に上昇する。一方、貯蔵室１３ｂの室内温度は上限温度ＴＵに到達し、蒸発温度Ｔｂは温度Ｔ１に到達している。
【００２１】
図１５は、圧縮器の特性を示す相関図である。図１５において、縦軸は圧縮器の効率（＝冷凍能力／電力、以下ＣＯＰと称す）、横軸は圧縮器の入口における冷媒圧力（アキュムレータの出口圧力に同じ、以下、圧縮器入口圧力と称す）であって、ＣＯＰは圧縮器入口圧力の上昇に伴って略比例的に向上している。
すなわち、圧縮器１の入口圧力は、２エバ運転時においては、２台のキャピラリチューブ４ａ、４ｂの減圧量となるのに対し、１エバ運転に移行すると、１台のキャピラリチューブ４ｂの減圧量となる。このとき、圧縮器１に吸い込む量は一定であるから、圧縮器１（アキュムレータ６に同じ）に流れ込む冷媒の量が減少した分、圧縮器１の入口圧力が低下することになる。
よって、２エバ運転に比較して１エバ運転に移行すると、圧縮器入口圧力も低くなり、圧縮器の入口圧力の低下に伴ってＣＯＰが悪化することになる。また、循環する冷媒の量も減少し、貯蔵室１３ｂの蒸発器入口温度Ｔｂが低くなっている。
【００２２】
なお、以上はＣＣＨ運転モードの場合について説明しているが、ＣＣＣ運転モードにおける前記運転方式の場合には、全貯蔵室を冷却する２エバ運転から両端の貯蔵室１３ａ、１３ｃのみを冷却する１エバ運転に移行すると、２エバ運転時に比較して冷却を継続する貯蔵室１３ａ、１３ｃの蒸発器入口温度Ｔａ、Ｔｃが低くなり、同時に蒸発器５ａ、５ｃの出口温度も低くなるから（図示しない）、これに伴う圧縮器入口圧力も低くなってＣＯＰが悪化することになる。
さらに、ＣＨＨ運転モードあるいはＨＨＨ運転モードにおける前記運転方式の場合には、加熱される貯蔵室に隣接する貯蔵室（冷却される貯蔵室または加熱され難い貯蔵室）からの冷熱の伝達によって１ヒータ運転が必要となるため、余計な通電時間が発生している。
【００２３】
本発明は、上記のようなＣＯＰが悪化する１エバ運転の時間を短縮して圧縮機の消費電力の低減を図ること、または、１ヒータ運転の時間を短縮してヒータの消費電力の低減を図ることを目的とする
【課題を解決するための手段】
【００２４】
（１）本発明に係る自動販売機は、仕切り材によって互いに隔離された複数の貯蔵室と、各貯蔵室に設置され商品を収納して順次下方に移送する商品収納装置と、該商品収納装置に収納された商品を冷却する冷却ユニットと、冷却された商品を商品搬送口に搬送する商品搬送装置とを有し、
前記複数の貯蔵室の内所定の貯蔵室とそれに隣接する貯蔵室との間の前記仕切り材の少なくとも一部を開放自在に構成したことを特徴とする。
【００２５】
（２）本発明に係る自動販売機は、仕切り材によって互いに隔離された複数の貯蔵室と、各貯蔵室に設置され商品を収納して順次下方に移送する商品収納装置と、該商品収納装置に収納された商品を加熱するヒータと、加熱された商品を商品搬送口に搬送する商品搬送装置とを有し、
所定の貯蔵室に向けて該貯蔵室に隣接する貯蔵室の室内空気が流入自在であることを特徴とする。
【００２６】
（３）本発明に係る自動販売機は、仕切り材によって互いに隔離された複数の貯蔵室と、該貯蔵室のうちの第一の貯蔵室に設置された第一の蒸発器と、該第一の蒸発器に直列接合された第一の電磁弁と、前記第一の貯蔵室に隣接する第二の貯蔵室に設置された第二の蒸発器と、該第二の蒸発器に直列接合された第二の電磁弁と、冷媒を圧縮する圧縮器と、該圧縮器に直列接続された凝縮器と、該凝縮器を出た冷媒を前記第一の蒸発器および第二の蒸発器に向けて分岐し、且つ前記第一の蒸発器および第二の蒸発器を出た冷媒を統合して前記圧縮器に戻す冷媒配管と、
前記第一の貯蔵室および第二の貯蔵室の室温が何れも所定の上限温度に到達したとき、第一の電磁弁の開放、第二の電磁弁の開放および前記圧縮器の運転を同期して開始し、第二の貯蔵室の室温が所定の下限温度に到達する前に第一の貯蔵室の室温が該所定の下限温度に到達したとき、前記第一の電磁弁を閉鎖して第二の電磁弁の開放と前記圧縮器の運転を継続し、さらに、前記第二の貯蔵室の室温も前記所定の下限温度に到達したとき、前記圧縮器の運転を停止して前記第二の電磁弁も閉鎖する制御手段とを有し、
少なくとも前記第一の電磁弁を閉鎖して第二の電磁弁を開放している間、前記第一の貯蔵室の室内空気が第二の貯蔵室に流入自在であることを特徴とする。
【００２７】
（４）本発明に係る自動販売機は前記（３）において、前記第二の貯蔵室に隣接する第三の貯蔵室にヒータが設置されていることを特徴とする。
【００２８】
（５）本発明に係る自動販売機は前記（４）において、仕切り材によって互いに隔離された複数の貯蔵室と、該貯蔵室のうちの第一の貯蔵室に設置された第一のヒータと、前記第一の貯蔵室に隣接する第二の貯蔵室に設置された第二のヒータと、
前記第一の貯蔵室および第二の貯蔵室の室温が何れも所定の下限温度に到達したとき、前記第一のヒータおよび第二のヒータの通電を開始し、第二の貯蔵室の室温が所定の上限温度に到達する前に第一の貯蔵室の室温が該所定の上限温度に到達したとき、前記第一のヒータ停電して第二のヒータの通電を継続し、さらに、前記第二の貯蔵室の室温も前記所定の上限温度に到達したとき、前記第二のヒータも停電する制御手段とを有し、
少なくとも前記第一のヒータを停電して第二のヒータを通電している間、前記第一の貯蔵室の室内空気が第二の貯蔵室に流入自在であることを特徴とする。
【００２９】
（６）本発明に係る自動販売機は前記（５）において、前記第二の貯蔵室に隣接する第三の貯蔵室に蒸発器が設置され、該蒸発器に冷媒を圧縮する圧縮器と冷媒を凝縮する凝縮器とが直列接続されていることを特徴とする。
【００３０】
（７）本発明に係る自動販売機は前記（３）乃至（６）の何れかにおいて、前記第一の貯蔵室と第二の貯蔵室との間に配置された仕切り材が撤去自在であることを特徴とする。
【００３１】
（８）本発明に係る自動販売機は前記（３）乃至（６）の何れかにおいて、前記第一の貯蔵室と第二の貯蔵室との間に配置された仕切り材に、室内空気が流通自在な開口部が設けられていることを特徴とする。
【００３２】
（９）本発明に係る自動販売機は前記（８）において、前記開口部に該開口部を開閉自在な扉が設置されていることを特徴とする。
【００３３】
（１０）本発明に係る自動販売機は前記（９）において、前記扉が回転式であって、該扉と前記仕切り材との隙間を封止する封止手段が設置されていることを特徴とする。
【００３４】
（１１）本発明に係る自動販売機は前記（９）または（１０）において、前記扉に扉駆動手段が設置され、少なくとも前記第一の電磁弁を閉鎖して第二の電磁弁を開放している間、あるいは少なくとも前記第一のヒータを停電して第二のヒータを通電している間、前記制御手段の指令によって前記開口部が開放されることを特徴とする。
【００３５】
（１２）本発明に係る自動販売機は前記（３）乃至（６）の何れかにおいて、前記第一の貯蔵室と第二の貯蔵室との間に配置された仕切り材が、前後方向に伸縮自在な伸縮部を有し、該伸縮部が短縮された状態で配置された際、該仕切り材の前端部または後端部に沿って室内空気が流通自在になり、該伸縮部が伸張された状態で配置された際、該仕切り材が前記第一の貯蔵室と第二の貯蔵室との間における室内空気の流通を遮断することを特徴とする。
【発明の効果】
【００３６】
本発明に係る自動販売機は、複数の貯蔵室の内、先行して冷却された貯蔵室の室内空気が該貯蔵室に隣接する冷却され難い貯蔵室に流入自在であるから、該冷却され難い貯蔵室の冷却が促進され、ＣＯＰが悪化する１エバ運転の運転時間の短縮が可能となるため、消費電力の低減を図ることができる。
また、複数の貯蔵室の内、先行して加熱された貯蔵室の室内空気が該貯蔵室に隣接する加熱され難い貯蔵室に流入自在であるから、該加熱され難い貯蔵室の加熱が促進され、ヒータの運転時間の短縮が可能となるため、消費電力の低減を図ることができる。
【発明を実施するための最良の形態】
【００３７】
以下、３つの貯蔵室を有する自動販売機において、主にＣＣＨ運転モードについて実施の形態を説明するが本発明はこれに限定するものではなく、４室以上の貯蔵室を有する自動販売機において、あるいは、ＣＣＨ運転モード以外の他の運転モードについても適用できるものである。このとき、冷却され難い貯蔵室と先行して冷却される貯蔵室との関係において、あるいは加熱され難い貯蔵室と先行して加熱される貯蔵室との関係において、本発明は適用されるものである。
また、以下の図面において従来の自動販売機を示す図１１および図１２と同じ部分にはこれと同じ符号（符号に付したアルファベットについても同じ）を付し、一部の説明を省略する。
［実施の形態１］
【００３８】
図１は本発明の実施の形態１に係る自動販売機の上面視の断面図である。
この自動販売機１００は、仕切壁１８ａｂおよび仕切壁１８ｂｃを着脱可能な構成にしたものである。すなわち、ＣＣＣ運転モードまたはＨＨＨ運転モードの場合は、仕切壁１８ａｂおよび仕切壁１８ｂｃを撤去する（図示しない）。また、ＣＣＨ運転モードの場合は、仕切壁１８ａｂを撤去して仕切壁１８ｂｃを設置する（図示する）。さらに、ＣＨＨ運転モードの場合は、仕切壁１８ａｂを設置して仕切壁１８ｂｃを撤去する（図示しない）。なお、仕切壁１８ａｂおよび仕切壁１８ｂｃは、配置位置を示すアルファベットを付記する便宜的な称呼であって、同一の仕切り手段であっても、異なる仕切り手段であってもよい。
【００３９】
図２は図１に示す自動販売機における蒸発器入口温度の推移を示す説明図であって、ＣＣＨ運転の場合を示している。なお、２エバ運転、１エバ運転、およびエバ停止の要領は図１４に示す従来技術に準じるため、一部の説明を省略する。
図２において、２エバ運転にＭｘ分の時間を要し、この間、貯蔵室１３ａと貯蔵室１３ｂとの間には仕切壁が無いため該２室間で室内空気が循環しているから、貯蔵室１３ａおよび貯蔵室１３ｂの２室を、蒸発器５ａおよび蒸発器５ｂの２台でもって冷却していることになる。
このとき、２エバ運転時間Ｍｘ分は従来技術における２エバ運転時間Ｍａ分（図１４参照）より長くなっている。すなわち、貯蔵室１３ｂによって貯蔵室１３ｃから遮断された従来技術に比較して、貯蔵室１３ｃから流入する温熱によって温められた貯蔵室１３ｂの室内空気が流入する影響により、貯蔵室１３ａの冷却に時間がかかっている。
【００４０】
一方、貯蔵室１３ｂの空気温度は先行して冷却された貯蔵室１３ａの室内空気の流入によって従来技術の場合より冷却され易くなっている。
よって、２エバ運転の終了時に、貯蔵室１３ａの空気温度は下限温度ＴＬに下降し、蒸発器入口温度Ｔａは温度Ｔ２に下降している。一方、貯蔵室１３ｂの空気温度は従来技術における中間温度ＴＷ（図１４参照）より低温である中間温度ＴＸにまで冷却され、蒸発器入口温度Ｔｂは温度Ｔ２に下降している。
【００４１】
次に、１エバ運転については、これにＭｙ分の時間（以下、１エバ運転時間Ｍｙ分と称す）は従来技術における１エバ運転時間Ｍｂより短くなっている。すなわち、２エバ運転の終了時における貯蔵室１３ｂの室内温度（中間温度ＴＸ）が従来技術における室内温度（中間温度ＴＷ）より低温であるから、その後の１エバ運転において下限温度ＴＬに到達するまでの時間が短縮されることになる。また、この間に、蒸発器入口温度Ｔｂも下降して温度Ｔ３に達している。
この間、冷却が停止している貯蔵室１３ａでは室内空気の上昇が始まり、蒸発器入口温度Ｔａが温度Ｔ２から温度Ｔ１に向かって上昇する。
よって、１エバ運転時間帯、すなわち、蒸発器入口温度Ｔｂが低温で、圧縮器１の入口圧力が低圧である時間帯であって、ＣＯＰが悪い範囲（図１５参照）において、圧縮器１の運転時間が短縮するから、消費電力が効果的に低減されることになる。
【００４２】
なお、以上はＣＣＨ運転モードについて説明しているが、本実施の形態はこれに限定するものではなく、その他の運転モードにも適用できものである。
たとえば、ＣＨＨ運転の場合、仕切壁１８ａｂを設置して仕切壁１８ｂｃを撤去する。このとき、２ヒータ運転時間は従来技術における２ヒータ運転時間より僅かに長くなるものの、２ヒータ運転の終了時における貯蔵室１３ｂの室内温度が従来技術における室内温度より高い温度になることから、その後の１ヒータ運転において上限温度ＴＨに到達するまでの時間が短縮されることになる。よって、２ヒータ運転時間と１ヒータ運転時間との合計時間が短縮し、消費電力が低減されることになる。
さらに、貯蔵室の数量は３室に限定するものではなく、４室以上の貯蔵室を有する自動販売機についても、冷却され難い貯蔵室と該貯蔵室に隣接する冷却され易い貯蔵室との関係において、または、加熱され難い貯蔵室と該貯蔵室に隣接する加熱され易い貯蔵室との関係において、本実施の形態は適用できるものである。
［実施の形態２］
【００４３】
図３は本発明の実施の形態２に係る自動販売機の仕切壁を示す斜視図であって、断熱壁を透視して一部の部材の記載を省略している。
図３において、自動販売機２００は、貯蔵室１３ａと貯蔵室１３ｂを仕切る仕切壁２８ａｂに通気窓２９ａｂを有している。なお、貯蔵室１３ｂに設置された商品収納装置１４ｂの記載を省略し、シュータ１６ｂを透視している。
【００４４】
したがって、先行して冷却された貯蔵室１３ａの室内空気が通気窓２９ａｂを経由して貯蔵室１３ｂに流入するから、前記実施の形態１と同様の効果が得られる。
また、該流入に対応して、貯蔵室１３ｂから貯蔵室１３ａに向けて通気窓２９ａｂを経由した空気の流れが形成されるから両貯蔵室間で室内空気が循環することになる。
なお、図３において、通気窓２９ａｂは台形状であってシュータ１６ａ、１６ｂに近接して配置されているが、本実施の形態はこれに限定するものはなく、いずれの形状であってもよく、また、いずれの位置であってもよい、さらに、複数の位置に配置されてもよい。
さらに、ＣＨＨ運転モードにおいては、貯蔵室１３ｂと貯蔵室１３ｃとの間の仕切壁２８ｂｃに通気窓２９ｂｃを設ければよい。
［実施の形態３］
【００４５】
図４〜６は本発明の実施の形態３に係る自動販売機の仕切壁を示すものであって、図４は断熱壁を透視して一部の部材の記載を省略した斜視図、図５は仕切壁のみを示す斜視図、図６は仕切壁の動作を説明する動作説明図である。
図４〜６において、自動販売機３００には、貯蔵室１３ａと貯蔵室１３ｂを仕切る仕切壁３８ａｂに通気窓３９ａｂが設けられ、通気窓３９ａｂには回転軸３２ａｂを中心にして回転自在な回転扉３０ａｂが取り付けられている。
【００４６】
したがって、ＣＣＨ運転モードの場合、回転扉３０ａｂを回転させて通気窓３９ａｂを開口すれば、貯蔵室１３ａの室内空気は回転扉３０ａｂの側面に沿って貯蔵室１３ｂに噴出する（図６において矢印にて示す）。これにより、加熱される貯蔵室１３ｃに隣接する貯蔵室１３ｂ内の室内空気は、先行して冷却されている貯蔵室１３ａの室内空気によって冷却されるから実施の形態１と同様の効果が得られる。
【００４７】
また、回転扉３０ａｂには、通気窓３９ａｂを気密的に閉塞するための封止手段としてゴムパッキン３１ａｂが取り付けられている。したがって、回転扉３０ａｂが通気窓３９ａｂを閉塞した際（回転扉３０ａｂが通気窓３９ａｂ内に収納されている）、貯蔵室１３ａと貯蔵室１３ｂとの間で室内空気が行き来することがない。
したがって、貯蔵室１３ｂと貯蔵室１３ｃを仕切る仕切壁３８ｂｃを仕切壁３８ａｂと同様のものにしておけば、仕切壁３８ａｂの回転扉３０ａｂを開いて仕切壁３８ｂｃの回転扉３０ｂｃを閉じることによってＣＣＨ運転モードに対応することができ、一方、仕切壁３８ａｂの回転扉３０ａｂを閉じて、仕切壁３８ｂｃの回転扉３０ｂｃを開くことによって、ＣＨＨ運転モードに対応した切替が迅速容易にできる。さらに、ＣＣＣ運転モードまたはＨＨＨ運転モード（１エバ運転において、貯蔵室１３ａと貯蔵室１３ｂの両方が冷却または加熱される）にも対応することができる。
［実施の形態４］
【００４８】
図７は本発明の実施の形態４に係る自動販売機の仕切壁を示す斜視図である。図７において、自動販売機は、仕切壁に通気窓が設けられ（いずれも図示しない）、該通気窓には回転軸４２を中心にして回転自在な回転扉４０が取り付けられている。また、回転扉４０には前記通気窓を気密的に閉塞するための封止手段としてゴムパッキン４１が取り付けられている。
回転扉４０の側面にブラケット４３が固着され、ブラケット４３には回転扉４０の側面に対して傾斜したガイド溝４４が設けられ、ガイド溝４４にピン４５が移動自在に取り付けられている。一方、前記仕切壁の側面にアクチュエータ４６が設置され、アクチュエータ４６の駆動軸４７の先端がピン４５に接続されている。
【００４９】
したがって、アクチュエータ４６を動作（駆動軸４７を後退）すると、ピン４５が回転扉４０の回転軸４２側に移動して回転扉４０を回転し、前記通気窓は開口する。このとき、駆動軸４７は曲げられることがない。よって、各貯蔵室の温度設定情報や室内空気の温度情報等に基づいてアクチュエータ４６の動作を自動制御または遠隔制御することが可能になるから、仕切壁によって仕切られた隣接する貯蔵室間における室内空気の循環または隔離の切替を迅速容易にすることができる。
【００５０】
なお、アクチュエータ４６の設置は仕切壁４０の片面または両面のいずれであってもよい。また、ガイド溝４４に替えて、ブラケット４３にピン４５を回転自在に取り付け、アクチュエータ４６を前記仕切壁に対して傾動自在に固着してもよい。
よって、たとえば、貯蔵室１３ａと貯蔵室１３ｂを仕切る仕切壁および貯蔵室１３ｂと貯蔵室１３ｃを仕切る仕切壁をいずれも実施の形態４の仕切壁にしておけば、それぞれの仕切壁の回転扉をそれぞれ自動または遠隔操作によって開閉することによって、ＣＣＨ運転モードまたはＣＨＨ運転モードに対応した迅速容易な切替が可能になる。
［実施の形態５］
【００５１】
図８〜１０は本発明の実施の形態５に係る自動販売機の仕切壁を示すものであって、図８は断熱壁を透視して一部の部材の記載を省略した斜視図、図９は仕切壁の動作を説明する動作説明図、図１０の（ａ）および（ｂ）はそれぞれロック機構を説明する正面図および側面図である。
図８および図９において、自動販売機５００には、仕切壁５８ａｂ、５８ｂｃの前方の側端部に伸縮手段５０ａｂ、５０ｂｃ（以下、クッション材と称す）が固着されている。また、仕切壁５８ａｂ、５８ｂｃは、断熱壁１１に設置されたスライドがガイド５９ａｂ、５９ｂｃに摺動自在に支持されて前後方向に並進することができ、また、断熱壁１１に設置されたロック機構６０ａｂ、６０ｂｃによって前位置または後位置の２位置で固定されるものである（固定手段につては別途説明する）。なお、シュータ１６ａ、１６ｂ等の記載を省略している。
【００５２】
したがって、仕切壁５８ａｂを前位置で固定した場合、仕切壁５８ａｂの後方の側端部は断熱壁１１から離隔し、ここに所定幅の隙間５１ａｂが生じ、前方のクッション材５０は内扉１２に当接し、隙間５１ａｂに相当する量だけ圧縮されることになる。このとき、隙間５１ａｂを経由して貯蔵室１３ａと貯蔵室１３ｂとの間で室内空気が行き来する。
一方、仕切壁５８ｂｃを後位置で固定した場合、仕切壁５８ｂｃの後方の側端部は断熱壁１１に当接し、前方のクッション材５０ａｂの側端部は内扉１２に当接するため、仕切壁５８ｂｃによって貯蔵室１３ｂと貯蔵室１３ｃとは隔離されることになる。
よって、ＣＣＨ運転モードに対応している。
【００５３】
さらに、仕切壁５８ａｂを前位置で固定した場合、仕切壁５８ａｂの下端部に設けた後ロック溝５３ａｂにロック機構６０ａｂのロック部材６１ａｂが係止し、一方、仕切壁５８ｂｃを後位置で固定した場合、仕切壁５８ｂｃの下端部に設けた前ロック溝５２ｂｃにロック機構６０ｂｃのロック部材６１ｂｃが係止する。
一方、仕切壁５８ａｂを後位置に固定して貯蔵室１３ａと貯蔵室１３ｂとを隔離し、仕切壁５８ｂｃを前位置に固定して後方に隙間５１ｂｃを形成すれば、ＣＨＨ運転モードに簡単迅速に対応することが可能になる。
なお、本実施の形態は、仕切壁５８ａｂ、５８ｂｃの両方を実施の形態５にするものに限定するものではなく、いずれか一方を実施の形態５にして、他方を従来の技術における仕切壁や実施の形態１〜４のいずれかにしてもよい。
【００５４】
図１０において、前記固定手段は仕切壁５８の下端部に設けられた前ロック溝５２および後ロック溝５３（図示しない）と、断熱壁１１に設置されたロック機構６０とから構成されている。
ロック機構６０は回動式であって、前ロック溝５２および後ロック溝５３に係止するロック部材６１と、ロック部材６１を水平面内で回動自在に支持する連結材６３（軸心が鉛直方向を向いている）と、連結材６３を断熱壁１１に固定する固定部材６２と、ロック部材６１を一方の回動方向に付勢するバネ６４とを有している。図中、６５はロック部材６１の回動範囲を示し、断熱壁１１を斜線にて付記する。
【００５５】
よって、ロック部材６１が回動してロック機構６０が側面視でＬ字状に折り畳まれた状態で、仕切壁５８を前後に移送する。そして、前位置または後位置において後ロック溝５３または前ロック溝５２にロック部材６１を係止させる。このとき、ロック部材６１の回動範囲は限定されるためロック機構６０が側面視で直線状になって後ロック溝５３または前ロック溝５２に係止しているから、仕切壁５８は移動することがない。
また、ロック機構６０を解除する場合は、仕切壁５８を僅かに前方に移動してロック部材６１をＬ字状に折り畳めば、ロック部材６１は後ロック溝５３または前ロック溝５２から容易に離脱することになる。
なお、本実施の形態は固定手段を前記ロック機構６０に限定するものではなく、回動式に代えて並進式にしたり、バネに代えてアクチュエータを設置したりしてもよい。
【産業上の利用可能性】
【００５６】
本発明は、 たとえば缶ビン飲料などの自動販売機における消費電力の低減対策として活用される。
【図面の簡単な説明】
【００５７】
【図１】本発明の実施の形態１に係る自動販売機の上面視の断面図。
【図２】図１に示す自動販売機における蒸発器入口温度の推移を示す説明図。
【図３】本発明の実施の形態２に係る自動販売機の仕切壁を示す斜視図。
【図４】本発明の実施の形態３に係る自動販売機の仕切壁を示す斜視図。
【図５】図４に示す仕切壁に設置されて回転扉を示す斜視図。
【図６】図４に示す仕切壁の動作を説明する動作説明図。
【図７】本発明の実施の形態４に係る自動販売機の仕切壁を示す斜視図。
【図８】本発明の実施の形態５に係る自動販売機の仕切壁を示す斜視図。
【図９】図８に示す仕切壁の動作を説明する動作説明図。
【図１０】図８に示す仕切壁のロック機構を説明する正面図および側面図。
【図１１】従来の自動販売機の構成を示す正面視の断面図。
【図１２】従来の自動販売機の構成を示す側面視の断面図。
【図１３】従来の自動販売機における冷却ユニットの構成を示す構成図。
【図１４】従来のＣＣＨ運転モードの運転方式における各貯蔵室の空気温度の推移および各蒸発器の入口における冷媒温度の推移を説明する説明図。
【図１５】圧縮器の特性を示す相関図。
【符号の説明】
【００５８】
１：圧縮器、２：凝縮器、３：電磁弁、４：キャピラリチューブ、５：蒸発器、６：アキュムレータ、７：再度冷媒配管、７：冷媒配管、８：ヒータ、９：ファン、１１：断熱壁、１２：内扉、１３：加熱室、１４：商品収納装置、１５：吸気ダクト、１６：シュータ、１７：空気の流れ、１８：仕切壁、２８：仕切壁、２９：通気窓、３０：回転扉、３１：ゴムパッキン、３２：回転軸、３８：仕切壁、３９：通気窓、４０：回転扉、４１：ゴムパッキン、４２：回転軸、４３：ブラケット、４４：ガイド溝、４５：ピン、４６：アクチュエータ、４７：駆動軸、５０：クッション材、５１：隙間、５２：前ロック溝、５３：後ロック溝、５８：仕切壁、５９：ガイド、 ６０：ロック機構、 ６１：ロック部材、６２：固定部材、６３：連結材、６４：バネ、８０：冷却ユニット、９０,１００,２００,３００,５００：自動販売機
【図１】
2005078199.tif 000003
【図２】
2005078199.tif 000004
【図３】
2005078199.tif 000005
【図４】
2005078199.tif 000006
【図５】
2005078199.tif 000007
【図６】
2005078199.tif 000008
【図７】
2005078199.tif 000009
【図８】
2005078199.tif 000010
【図９】
2005078199.tif 000011
【図１０】
2005078199.tif 000012
【図１１】
2005078199.tif 000013
【図１２】
2005078199.tif 000014
【図１３】
2005078199.tif 000015
【図１４】
2005078199.tif 000016
【図１５】
2005078199.tif 000017